(57)【要約】【課題】立体的に糸をかけるようにして扁平状に比しピッチを縮めて編み器全体のサイズを短縮し、作業スペースをコンパクトにすると共に適正棒針で編んだものとほぼ同様な完成度の高い締まった編地作品を得る。【解決手段】可撓性材料で形成した横長状基材１の一側に係合雄部２、他側に係合雌部３を設けて、互いに係合，係止することにより１個又は複数個連結して筒形状に彎曲形成可能であると共に、基材１の上縁に縦方向中央線に沿って外側に折り曲げ可能な部分４ｂを形成した凸出部（爪部）４を所要複数並設し、少なくとも爪部４の折り曲げ部４ｂ外縁上部に曲面を有して外方に膨出する膨大部５と、中間部に糸を係止する係止凹部６を形成した。【選択図】　　図３
0003097312.tif 000002
【実用新案登録請求の範囲】
【請求項１】
可撓性材料で形成された横長状基材からなり、該基材はその一側に係合雄部、他側に係合雌部を有して、互いに係合，係止させることにより１個又は複数個連結して筒形状に彎曲形成可能であると共に、該基材の上縁には縦方向中央線に沿って外側に折り曲げ可能な爪部を形成する凸出部が所要複数並設されてなり、少なくとも該爪部の折り曲げ部外縁には上部に局面を有して外方に膨出する膨大部と、中間部に糸を係止する係止凹でが形成されていることを特徴とする手芸用編み器。
【請求項２】
請求項１記載の複数の横長状基材を隣接する該基材の係合雄部，係合雌部を互いに係合，係止することにより連結して筒形状に形成したことを特徴とする手芸用編み器
【請求項３】
長さの異なる複数の請求項１記載の横長状基材を使用し、筒形状の径を形成する請求項２記載の手芸用編み器。
【考案の詳細な説明】
【０００１】
【考案の属する技術分野】
本考案は手芸用編み器に係り、詳しくは凸出した針山に糸を引掛けてリリヤンの要領で糸を落としてゆくだけで棒針編みと同じ編地を簡単に形成できる手芸用編み器に関するものである。
【０００２】
【従来の技術】
従来、手芸により編物製品を製作するにあたっては、通常、棒針，輪針，かぎ針などの針用具を用い、各種技法を駆使して編まれていた。
しかし、上記の編成技法は近時における編成技法として針の選定や技法の選定が面倒であるのみらず、なかなか時代要求に適合しない面があった。
【０００３】
そこで、本願出願人はその改善を図るべく、時代感覚に適応し、小学生から老年社まで手芸による編物製品を誰でも作成し易く、かつ簡単に作り得て手芸の楽しさを実感し得る手芸用編み器として、一側に係合雄部、他側に係合雌部を有して互いに係合，係止させることにより筒状に彎曲形成可能な横長状基材の上縁に茎部と、該茎部上端に茎部より延び、曲面を有して外方に拡がる膨大部を有すると共に、茎部にスリットを設けた針山を基材横長方向に所定間隔で、所要数凸出形成し、基材の中央下部に編地引出し用凹部を形成せしめた手芸用編み器を提供した。（例えば特許文献１参照）
【０００４】
【特許文献１】実用新案登録第３０９０３００号公報
【０００５】
【考案が解決しようとする課題】
ところが、上記提案した手芸用編み器４０ｍｍピッチにより帽子作品のような小物を製作する場合、通常、同編み器を２枚つなぎ合わせた状態（３２目）で編んでいて、この場合、全体のサイズ（周囲）は１３０ｃｍになり広い作業スペースを必要としたのみならず、４０ｍｍピッチであるため、素編み帽子が本来必要とする締まった編地になりにくいことが多かった。
【０００６】
本考案は上述の如き点に着目し、これを改善すべく、特に前記横長状基材の茎部にあたる山部分に直角に折れ曲がる爪を形成し、この爪部分に立体的に糸を掛けて編成することにより、周囲を短縮し作業スペースをコンパクトにすると共に、立体的になった部分も含めて目を詰め、従来の編み帽子と同様の締まった編み地を得ることを目的とするものである。
【０００７】
【課題を解決するための手段】
即ち、上記目的に適合する本考案編み器は、可撓性材料で形成された横長状基材からなり、該基材はその一側に係合雄部、他側に係合雌部を有して、互いに係合、係止させることにより１個又は複数個連結して筒形状に彎曲形成可能であると共に、該基材の上縁には縦方向中央線に沿って外側に折り曲げ可能な爪部を形成する凸出部が所要複数並設されてなり、少なくとも該爪部の折り曲げ部外縁には上部に曲面を有して外方に膨出する膨大部と、中間部に糸を係止する係止凹部が形成されている構成を特徴とする。
【０００８】
なお、上記記載の横長状基材は、これを複数又は大小長さの異なる複数を使用し、互いに係合、係止させることにより筒形状の径を適宜変化させ、１つの編み器で任意の大きさの作品を得ることができる。
【０００９】
【作用】
上記本考案手芸用編み器を使用して編成を行うには、本考案基材を１個又は複数個用いて両端側の雌雄係合部により係止して所要大きさの筒状に形成し、凸出部を縦方向中央線に沿って外側に折り曲げて爪部として、爪部に毛糸等をその外側，内側へ交互に引掛けて一周し、次いで前に一周した外側に糸を送りつつ爪の部分に立体的にかかる糸を指先又は針を用いて引掛けて、次の周方向に送られる糸の上を越えて、爪部にかけて編む動作を繰り返す。
このとき、爪部上端は曲面をなして外方に拡がるふくらみ形状となっていることにより糸運びが円滑で目落ちし難い。
【００１０】
従って、例えば、爪の折り曲げ部分に立体的に掛けられた糸を順次、周回してゆく糸の上を越えて指先により凸出部の爪部に掛けてゆくだけで簡単に編成が可能となる。
勿論、指先を使用する代わりに針を用いて編むことも可能である。
なお、基材の長さを変え、組み合わせる基材の長さを変えて係合，係止することにより筒状の大きさを変え、目数の調整を可能とする。
【００１１】
【考案の実施の形態】
以下、更に添付図面を参照し、本考案の具体的な実施の形態について詳述する。
【００１２】
図１は本考案に係る手芸用編み器の１例を示し、１は合成樹脂板，金属板など、可撓性材料からなる本考案編み器の主材をなす適宜幅と適宜長さを有する横長状基材で、通常、１ｍｍ厚のポリプロピレン樹脂板が用いられ、２は該基材１の一方の側端部に設けられた係合雄部、３は該基材の前記係合雄部に対し他側側に設けられた係合雌部であり、１個又は複数の基材１を用いて互いに上記係合雄部２と、係合雌部３を互いに係合雄部２を外側より係合雌部３に係合させ、係止することによって上記横長状基材１は図３に示す如き筒状の編み器枠として形成され得るようになっている。
【００１３】
ここで、上記係合雌部３は図示例では互いに平行して係合雄部２が係合し得るよう上下に設けられているが、係合雄部２及び係合雌部３は互いに係合し、係止して筒状の編み器に形成可能であればよく、必らずしも図示の形状，構造に限られるものではない。
なお、必要に応じ上記基材１の係合雄部２，係合雌部３を利用し、横長状基材１を２枚つなぎ、３枚つなぎとつないで筒径を大にし、より大きな編地を編めるようにすることもできる。
【００１４】
上記本考案編み器の主材をなす横長状基材１は、その上縁において毛糸などを引掛け、編むための目数を定める針山にあたる凸出部４が所要数並設されており、この凸出部４は縦方向中心線ａに沿って外側に略直角で折り曲げ可能な部分４ｂと残りの基材片４ａからなっていて、この折り曲げ可能な部分４ｂと残りの基材片４ａによって斜めに糸がかかる立体的な爪部を形成している。
そして、折り曲げ可能な部分４ｂの外縁には上部に曲面を有して外方に膨出する膨大部５と中間部に糸を係止する係止凹部６が形成されていて、折り曲げ部分に立体的に糸が掛かるようになっている。
【００１５】
針山に相当する上記凸出部４の数は横長状基材１の全長にわたり適宜、編成しようとする編成品の目数に合わせて区画設定され、一般的には４〜１０位が普通であるが、必ずしもこれに拘束されるものではない。
例えば、図１に示す基材１は８山であり、図２に示す基材は４山であり、これらは適宜、作成され、組み合わせて使用される。
なお、上記横長状基材１は通常、打ち抜きによって作成され、そのため区画形成された各凸出部４の折り曲げられる部分４ｂ下縁が若干、残りの基材片４ａ下縁に対し重なりを有している。
【００１６】
本考案編み器は以上のような各部構成をもつ横長状基材によって形成されており、次にこの編み器を用いて編成する態様を以下に説明すると、先ず、横長状基材１の凸出部４を縦方向中心線ａに沿い外側に折り曲げ、この横長状基材１を図３に示す如く、複数、図では４個用いて隣接する横長状基材１の係合雌部３を選んで係合雄部２を外側より係合雌部３に係止して筒状の編み器枠、図示例における筒状の編み器の大きさを決め作成する。
この場合、横長状基材１は適宜、大，中，小長さの異なるものを組み合わせ使用も可能である。
そして、スタート位置を決め、筒状編み器枠の外側適宜位置に糸Ｙ端を粘着テープ等で止め、該糸を折り曲げられた爪部の外側，内側へと立体的に交互にかけながら一周する。
次に２周目は爪部４の外側に立体的にかかる１周目の糸を図５に示すように指を用いて２周目の糸の上を越えて爪部４にかけて編成する。
勿論、指を使用せず、かぎ針等を使って編むこともできる。
【００１７】
かくて、上記立体的にかかる１周目の糸を２周目の糸を越えて夫々、爪部にかけて２周目が編み終わると、３周目以後は同様な繰り返しにより同じように編んでゆく。
そして、何段か編めれば適宜、必要に応じ糸を止めていた粘着テープ等８をはずして糸を筒状の編み器枠の内側で休めておく。
このようにして順次、所要の周にわたって図４に示す編成が行われ、内側における編地が長くなったら筒状の編み器枠の中空部より編地を引き出し、必要な段数を編んでゆく。
このようにして上記編成が所要段数終わると、最初、粘着テープ等で止めていた糸端の始末をし、そして全ての爪部で糸始末が終わったら爪部から編地をはずし、軽く引っ張って編地を整え、編み始めと編み終わりの糸を引っ張って両端を整えると、平編様の編地からなる筒状の輪編み製品が完成する。
【００１８】
以上の編成において使用する糸は極太毛糸、特に１５号から１０ｍｍ位の適正棒針であるような超極太毛糸が好適であり、このような毛糸で編むことによって目のつんだ完成度の高い編地を得ることができる。
特に上記の編成においては１つ１つ外側に略直角の折れ曲がる爪の部分に立体的に糸がかかることにより、これまで扁平状で１目４０ｍｍ（山部分と谷部分）あった距離を縮めることができ、全体のサイズ（周囲）も約１３０ｃｍから約８７ｃｍと略２／３まで短縮することができた。また、ピッチを４０ｍｍから立体的になった部分も含めて３４ｍｍにしたことにより、目がつまり、適正棒針で編んだものと略同じゲージをだせるようになった。
なお、上記編み器は、帽子を中心にウエア（ベスト），マフラー全般，レッグウォーマー等の作品作りに頗る有効である。
【００１９】
【考案の効果】
本考案編み器は、以上のように横長状基材上縁部の凸出部に１つ１つ外側に折れ曲がる爪を設け、これに糸を立体的にかけるようにしたものであり、全体のサイズが縮まり、作業スペースをコンパクトにすることができると共に、ピッチを４０ｍｍから３４ｍｍまで目をつめたことで適正棒針で編んだのとほぼ同じゲージが出せ、完成度の高い編地作品を作成することができる。
また、毛糸で編む際、指先でつまみ作業が可能であり、立体的になった爪の部分に毛糸渡っているため、従来のものに比べ、毛糸がつまみ易く、作業性が良好であり、更に大，中，小各基材を組み合わせることにより、好みの作品のサイズを得ることができると共に、単に指先を用いて糸をかけてゆくだけで編むことができるので誰でも容易に手芸編みを楽しむことができる等、手芸用編み器として頗る顕著な効果を有している。
なお、爪部の上部を外方に曲面をなして拡がる膨らし状に形成したことにより、編成時、目落ちしにくい利点がある。
【図面の簡単な説明】
【図１】本考案に係る編み器の１例に係る展開状態図である。
【図２】本考案に係る編み器の他の例を示す展開状態図である。
【図３】上記展開状態の編み器基材を筒状に形成した態様の斜視図である。
【図４】筒状とした本考案編み器を用いて編み始めた状態を示す斜視図である。
【図５】
図４の編み始め時の拡大図である。
【符号の説明】
１　横長状基材
２　係合雄部
３　係合雌部
４　爪部（凸出部）
５　膨大部
６　係合凹部
【図１】
0003097312.tif 000003
【図２】
0003097312.tif 000004
【図３】
0003097312.tif 000005
【図４】
0003097312.tif 000006
【図５】
0003097312.tif 000007